(57)【要約】【課題】高ヒステリシスを幅広い範囲で設定することができるとともに、高ヒステリシスを発生させるための高摩擦材の組付け性およびメンテナンス性を向上させることができるトルクダンパー装置を提供する。【解決手段】トルクダンパー装置１００は、エンジンの回転駆動力によって回転駆動する第１入力プレート１０１と第２入力プレート１０２との間に出力ハブ１０４およびフランジ体１０７を備えている。出力ハブ１０４は、円筒状に形成されるとともに径方向外側に張り出した部分にフランジ体１０７が取り付けられている。また、出力ハブ１０４には、外周面上に摩擦プレート保持部１０６が形成されている。摩擦プレート保持部１０６は、第１摩擦プレート１１１のプレート側嵌合部１１１ａが嵌合するとともに軸方向の長さが第１摩擦プレート１１１および第１中間プレート１１２の総量の厚さよりも長く形成されている。【選択図】  図２
2020020408.tif 000002
【特許請求の範囲】
【請求項１】
平板環状に形成されてエンジンの駆動力によって回転駆動する第１入力プレートと、
平板環状に形成されて前記第１入力プレートに対向した位置に配置されて同第１入力プレートと一体的に回転駆動する第２入力プレートと、
前記第１入力プレートおよび前記第２入力プレートと同軸上に配置されてこれらの第１入力プレートおよび第２入力プレートの回転駆動力によって回転駆動する円筒状の出力ハブと、
前記出力ハブの外周面から径方向外側に張り出して前記第１入力プレートと前記第２入力プレートとの間に設けられるフランジ体と、
前記第１入力プレートおよび前記第２入力プレートと前記フランジ体との間に設けられて前記第１入力プレートおよび前記第２入力プレートの回転駆動力を前記フランジ体に伝達する弾性体で構成された弾性伝達体と、
前記出力ハブの径方向外側で前記フランジ体と前記第２入力プレートとの間に設けられた平板環状の複数の第１摩擦プレートと、
前記第２入力プレートに一体的に回転駆動する平板環状に形成されて前記複数の第１摩擦プレート間にそれぞれ配置される複数の第１中間プレートと、
前記第１入力プレートと前記第２入力プレートとの間に設けられて前記フランジ体と前記第２入力プレートとの間で前記複数の第１摩擦プレートと前記複数の第１中間プレートとを互いに密着させるプレッシャー体とを備え、
前記出力ハブは、
外周面上に軸方向に沿って互いに重ねられた前記複数の第１摩擦プレートおよび前記複数の第１中間プレートの厚さ以上の長さに形成されて前記複数の第１摩擦プレートがそれぞれ嵌合する摩擦プレート保持部と、
前記摩擦プレート保持部上に軸方向に沿って径方向に突出または凹んで形成されたハブ側嵌合部とをそれぞれ有し、
前記複数の第１摩擦プレートは、
内周部に前記ハブ側嵌合部に嵌合する凹状または凸状に形成されたプレート側嵌合部を有することを特徴とするトルクダンパー装置。
【請求項２】
請求項１に記載したトルクダンパー装置において、
前記ハブ側嵌合部および前記プレート側嵌合部は、
互いに噛み合う部分における各周方向の長さが互いに異なる長さに形成されて前記出力ハブと前記第１摩擦プレートとが周方向に相対変位可能な隙間が形成されていることを特徴とするトルクダンパー装置。
【請求項３】
請求項２に記載したトルクダンパー装置において、
前記複数の第１摩擦プレートは、
互いに同じ形状に形成されていることを特徴とするトルクダンパー装置。
【請求項４】
請求項２に記載したトルクダンパー装置において、
前記複数の第１摩擦プレートは、
前記隙間が互いに異なる前記プレート側嵌合部が形成された前記第１摩擦プレートを含んで構成されていることを特徴とするトルクダンパー装置。
【請求項５】
請求項１ないし請求項４のうちのいずれか１つに記載したトルクダンパー装置において、さらに、
前記第１入力プレートと前記フランジ部との間に設けられた平板環状の複数の第２摩擦プレートと、
前記第１入力プレートに一体的に回転駆動する平板環状に形成されて前記第２摩擦プレートに隣接配置された第２中間プレートとを備え、
前記プレッシャー体は、
前記第１入力プレートと前記第２中間プレートとの間に設けられて同第１入力プレートを介して前記第２入力プレートを前記フランジ部側に弾性的に変位させるとともに同第２中間プレートを介して前記第２摩擦プレートを前記フランジ部に押圧することを特徴とするトルクダンパー装置。
【請求項６】
請求項５に記載したトルクダンパー装置において、
前記出力ハブおよび前記フランジ体は、
互いに別体で構成されて前記出力ハブおよび前記フランジ体を貫通するリベットで互いに連結されており、
前記リベットは、
前記フランジ体から突出した頭部を有して同フランジ体の周方向に沿って複数設けられているとともに、同頭部に前記第２摩擦プレートが嵌合していることを特徴とするトルクダンパー装置。
【請求項７】
請求項５または請求項６に記載したトルクダンパー装置において、
前記フランジ体は、
同フランジ体の両側間で潤滑液を流通させるための貫通孔からなる潤滑液流路が形成されていることを特徴するトルクダンパー装置。
【請求項８】
請求項７に記載したトルクダンパー装置において、
前記潤滑液流路は、
前記摩擦プレート保持部に面する位置に形成されていることを特徴とするトルクダンパー装置。
【請求項９】
請求項７または請求項８に記載したトルクダンパー装置において、
前記第２摩擦プレートは、
前記潤滑液流路に対向する位置に貫通孔からなる流通孔が形成されていることを特徴するトルクダンパー装置。
【請求項１０】
請求項５ないし請求項９のうちのいずれか１つに記載したトルクダンパー装置において、
前記出力ハブは、
同出力ハブの回転駆動力を伝達するために連結される入力軸に前記トルクダンパー装置内に潤滑油を供給するための潤滑油供給路が形成されており、
前記出力ハブおよび前記フランジ体のうちの少なくとも一方と前記第１入力プレートとの間の隙間に径方向内側に向かって開口する幅広部が形成されるとともに同幅広部よりも径方向外側に前記隙間の幅が狭くなる幅狭部が形成されていることを特徴とするトルクダンパー装置。
【発明の詳細な説明】
【技術分野】
【０００１】
本発明は、エンジンのトルク変動を吸収するトルクダンパー装置に関する。
【背景技術】
【０００２】
従来から、エンジンを備えた自走式車両においては、エンジンと変速機との動力伝達経路上にトルクダンパー装置が設けられている。トルクダンパー装置は、互いに摩擦接触する２つの回転体間で発生させたヒステリシストルクによってエンジンのトルク変動を吸収する。例えば、下記特許文献１には、ミッション側回転軸が連結されるボス部材から径方向外側に延びるドリブンプレートの軸方向両側に高摩擦材がそれぞれ配置されるとともに、これらの高摩擦材の各外側に樹脂材製のスライド部材を介して低摩擦材がそれぞれ配置されて低ヒステリシスおよび高ヒステリシスを発生させることができるトルク変動吸収装置（以下、「トルクダンパー装置」という）が開示されている。
【先行技術文献】
【特許文献】
【０００３】
【特許文献１】特開２０１６−１４２３３９号公報
【０００４】
しかしながら、上記特許文献１に記載されたトルクダンパー装置においては、高ヒステリシスがドリブンプレートの両側に設けられた２つの高摩擦材によって発生されるため、これ以上高摩擦材を配置することができず発生させる高ヒステリシスに制限があるという問題がある。また、上記特許文献１に記載されたトルクダンパー装置においては、２つの高摩擦材が互い異なる部品である２つのスライド部材に取り付けられるため組み付け作業が煩雑であるとともにメンテナンス負担も大きいという問題があった。
【０００５】
本発明は上記問題に対処するためなされたもので、その目的は、高ヒステリシスを幅広い範囲で設定することができるとともに、高ヒステリシスを発生させるための高摩擦材の組付け性およびメンテナンス性を向上させることができるトルクダンパー装置を提供することにある。
【発明の概要】
【０００６】
上記目的を達成するため、本発明の特徴は、平板環状に形成されてエンジンの駆動力によって回転駆動する第１入力プレートと、平板環状に形成されて第１入力プレートに対向した位置に配置されて同第１入力プレートと一体的に回転駆動する第２入力プレートと、第１入力プレートおよび第２入力プレートと同軸上に配置されてこれらの第１入力プレートおよび第２入力プレートの回転駆動力によって回転駆動する円筒状の出力ハブと、出力ハブの外周面から径方向外側に張り出して第１入力プレートと第２入力プレートとの間に設けられるフランジ体と、第１入力プレートおよび第２入力プレートとフランジ体との間に設けられて第１入力プレートおよび第２入力プレートの回転駆動力をフランジ体に伝達する弾性体で構成された弾性伝達体と、出力ハブの径方向外側でフランジ体と第２入力プレートとの間に設けられた平板環状の複数の第１摩擦プレートと、第２入力プレートに一体的に回転駆動する平板環状に形成されて複数の第１摩擦プレート間にそれぞれ配置される複数の第１中間プレートと、第１入力プレートと第２入力プレートとの間に設けられてフランジ体と第２入力プレートとの間で複数の第１摩擦プレートと複数の第１中間プレートとを互いに密着させるプレッシャー体とを備え、出力ハブは、外周面上に軸方向に沿って互いに重ねられた複数の第１摩擦プレートおよび複数の第１中間プレートの厚さ以上の長さに形成されて複数の第１摩擦プレートがそれぞれ嵌合する摩擦プレート保持部と、摩擦プレート保持部上に軸方向に沿って径方向に突出または凹んで形成されたハブ側嵌合部とをそれぞれ有し、複数の第１摩擦プレートは、内周部にハブ側嵌合部に嵌合する凹状または凸状に形成されたプレート側嵌合部を有することにある。
【０００７】
このように構成した本発明の特徴によれば、トルクダンパー装置は、入力軸が連結される出力ハブの外周面に嵌合することで径方向の変位が規制されるとともに同外周面上に周方向の変位を規制しつつ軸方向への変位を許容した状態で複数の第１摩擦プレートを保持するハブ側嵌合部が形成されているため、このハブ側嵌合部に保持させた第１摩擦プレートの数を適宜設定することで高ヒステリシスを幅広い範囲で設定することができる。この場合、トルクダンパー装置は、ハブ側嵌合部に軸方向から複数の第１摩擦プレートを挿し込むだけで保持させることができるため、高ヒステリシスを発生させるための第１摩擦プレートの組付け性およびメンテナンス性を向上させることができる。
【０００８】
また、本発明の他の特徴は、前記トルクダンパー装置において、ハブ側嵌合部およびプレート側嵌合部は、互いに噛み合う部分における各周方向の長さが互いに異なる長さに形成されて出力ハブと第１摩擦プレートとが周方向に相対変位可能な隙間が形成されていることにある。
【０００９】
このように構成した本発明の他の特徴によれば、トルクダンパー装置は、ハブ側嵌合部およびプレート側嵌合部における各周方向の長さが互いに異なる長さに形成されて両者が周方向に相対変位可能な隙間が形成されることで出力ハブと第１摩擦プレートとが周方向に相対変位可能に形成されているため、エンジンのトルク変動の大きに応じて高ヒステリシスを発生させることができる。
【００１０】
また、本発明の他の特徴は、前記トルクダンパー装置において、複数の第１摩擦プレートは、互いに同じ形状に形成されていることにある。
【００１１】
このように構成した本発明の他の特徴によれば、トルクダンパー装置は、複数の第１摩擦プレートが互いに同じ形状に形成されているため、トルクダンパー装置を製造する際の作業的および経済的な負担を軽減することができる。
【００１２】
また、本発明の他の特徴は、前記トルクダンパー装置において、複数の第１摩擦プレートは、前記隙間が互いに異なるプレート側嵌合部が形成された第１摩擦プレートを含んで構成されていることにある。
【００１３】
このように構成した本発明の他の特徴によれば、トルクダンパー装置は、複数の第１摩擦プレートが前記隙間が互いに異なるプレート側嵌合部が形成された第１摩擦プレートを含んで構成されているため、高ヒステリシスを発生させるタイミングを複数設定することができエンジンのトルク変動に対してよりきめ細かな変動ごとに高ヒステリシスを発生、すなわち、ヒステリシスの発生を多段化させることができる。
【００１４】
また、本発明の他の特徴は、前記トルクダンパー装置において、さらに、第１入力プレートとフランジ部との間に設けられた平板環状の複数の第２摩擦プレートと、第１入力プレートに一体的に回転駆動する平板環状に形成されて第２摩擦プレートに隣接配置された第２中間プレートとを備え、プレッシャー体は、第１入力プレートと第２中間プレートとの間に設けられて同第１入力プレートを介して第２入力プレートをフランジ部側に弾性的に変位させるとともに同第２中間プレートを介して第２摩擦プレートをフランジ部に押圧することにある。
【００１５】
このように構成した本発明の他の特徴によれば、トルクダンパー装置は、フランジ体に対して第２摩擦プレートが常に摩擦接触しているため、第１摩擦プレートが発生させるヒステリシスを増強することができる。また、本発明に係るトルクダンパー装置は、ハブ側嵌合部とプレート側嵌合部との嵌合部分に隙間を形成してエンジンからのトルク変動が所定の大きさ以上の場合に第１摩擦プレートが発生させるヒステリシスを発生させるように構成した場合には、第１摩擦プレートがヒステリシスを発生させるに至らない低いトルク変動時にもヒステリシスを発生させてトルク変動を抑えることができる。
【００１６】
また、本発明の他の特徴は、前記トルクダンパー装置において、出力ハブおよびフランジ体は、互いに別体で構成されて出力ハブおよびフランジ体を貫通するリベットで互いに連結されており、リベットは、フランジ体から突出した頭部を有して同フランジ体の周方向に沿って複数設けられているとともに、同頭部に第２摩擦プレートが嵌合していることにある。
【００１７】
このように構成した本発明の他の特徴によれば、トルクダンパー装置は、第２摩擦プレートが出力ハブとフランジ体とを連結するリベットの頭部に嵌合しているため、トルクダンパー装置の部品点数を少なくしてトルクダンパー装置を製造する際の作業的および経済的な負担を軽減することができる。
【００１８】
また、本発明の他の特徴は、前記トルクダンパー装置において、フランジ体は、同フランジ体の両側間で潤滑液を流通させるための貫通孔からなる潤滑液流路が形成されていることにある。
【００１９】
このように構成した本発明の他の特徴によれば、トルクダンパー装置は、フランジ体における軸方向の両側間で潤滑液を流通させるための貫通孔からなる潤滑液流路が形成されているため、トルクダンパー装置内における潤滑油の流通性を促進させて冷却性、洗浄性および潤滑性を向上させることができる。
【００２０】
また、本発明の他の特徴は、前記トルクダンパー装置において、潤滑液流路は、摩擦プレート保持部に面する位置に形成されていることにある。
【００２１】
このように構成した本発明の他の特徴によれば、トルクダンパー装置は、潤滑液流路が摩擦プレート保持部に面する位置に形成されているため、摩擦プレート保持部に対して潤滑油を積極的に導くことができ、第１摩擦プレートおよび第１中間プレートの冷却性、洗浄性および潤滑性を向上させることができる。
【００２２】
また、本発明の他の特徴は、前記トルクダンパー装置において、第２摩擦プレートは、潤滑液流路に対向する位置に貫通孔からなる流通孔が形成されていることにある。
【００２３】
このように構成した本発明の他の特徴によれば、トルクダンパー装置は、第２摩擦プレートにおける潤滑液流路に対向する位置に貫通孔からなる流通孔が形成されているため、潤滑液流路の一部または全部が第２摩擦プレートによって塞がれることを防止することができ、摩擦プレート保持部への潤滑油の流通性を確保して第１摩擦プレートおよび第１中間プレートの冷却性、洗浄性および潤滑性を向上させることができる。
【００２４】
また、本発明の他の特徴は、前記トルクダンパー装置において、出力ハブは、同出力ハブの回転駆動力を伝達するために連結される入力軸にトルクダンパー装置内に潤滑油を供給するための潤滑油供給路が形成されており、出力ハブおよびフランジ体のうちの少なくとも一方と第１入力プレートとの間の隙間に径方向内側に向かって開口する幅広部が形成されるとともに同幅広部よりも径方向外側に前記隙間の幅が狭くなる幅狭部が形成されていることにある。
【００２５】
このように構成した本発明の他の特徴によれば、トルクダンパー装置は、出力ハブおよびフランジ体のうちの少なくとも一方と第１入力プレートとの間の隙間に径方向内側に向かって開口する幅広部が形成されるとともに同幅広部よりも径方向外側に前記隙間の幅が狭くなる幅狭部が形成されているため、入力軸から供給された潤滑液の流速を幅狭部で速めて第２摩擦プレートに供給することができ潤滑液による冷却性、洗浄性および潤滑性を向上させることができる。また、トルクダンパー装置は、フランジ体に潤滑液流路が形成されている場合には、第１摩擦プレートに対する潤滑液による冷却性、洗浄性および潤滑性を向上させることができる。
【図面の簡単な説明】
【００２６】
【図１】本発明に係るトルクダンパー装置の構成を概略的に示す一部破断正面図である。
【図２】図１に示す２−２線から見たトルクダンパー装置の構成を概略的に示す断面図である。
【図３】図２に示す破線円Ａ内の構成の詳細を示す部分拡大図である。
【図４】図１および図２に示す第１摩擦プレートと出力ハブとの噛合い部分の詳細を両者が噛み合っていない状態で示す部分拡大図である。
【図５】図４に示す第１摩擦プレートおよび出力ハブにおいて両者が噛み合っている状態を示す部分拡大図である。
【発明を実施するための形態】
【００２７】
以下、本発明に係るトルクダンパー装置の一実施形態について図面を参照しながら説明する。図１は、本発明に係るトルクダンパー装置１００の構成を概略的に示す一部破断正面図である。また、図２は、図１に示す２−２から見たトルクダンパー装置１００の構成を概略的に示す断面図である。このトルクダンパー装置１００は、主として自動変速機を備えた自動車（所謂ＡＴ車）において、エンジンと変速機との間に設けられてエンジンの駆動力のトルク変動を緩和して変速機に伝達する機械装置である。
【００２８】
（トルクダンパー装置１００の構成）
トルクダンパー装置１００は、第１入力プレート１０１および第２入力プレート１０２をそれぞれ備えている。第１入力プレート１０１および第２入力プレート１０２は、図示しない車両のエンジンからの駆動力によって回転駆動する部品であり、それぞれ金属材料を平板環状に形成して構成されている。これらの第１入力プレート１０１および第２入力プレート１０２は、両者間に隙間を介して互いに対向配置されて複数（本実施形態においては、４つ）のリベット１０３によって一体的に連結されている。また、第１入力プレート１０１および第２入力プレート１０２には、周方向に沿って等間隔で互いに対向する位置に複数（本実施形態においては４つ）の貫通孔状の伝達体収容部１０１ａ，１０２ａがそれぞれ形成されており、後述する弾性伝達体１１０を保持している。
【００２９】
第１入力プレート１０１は、トルクダンパー装置１００における両側面のうちの一方（図示左側）の側面を構成しており、周方向に沿って等間隔で形成された４つの貫通孔からなるプレート保持孔１０１ｂに後述する第２中間プレート１１４を保持している。また、第１入力プレート１０１は、後述するフランジ体１０７の図示左側端面から離隔した位置に対向配置されるとともに、第１入力プレート１０１の内周縁部１０１ｃが前記左側端面から離隔する方向（図２において左側）に屈曲して形成されている。これにより、内周縁部１０１ｃとフランジ体１０７との間に幅広部１０８ａが形成されるとともに、この内周縁部１０１ｃよりも外側の対向部１０１ｄとフランジ体１０７との間に幅狭部１０８ｂが形成されている。
【００３０】
第２入力プレート１０２は、トルクダンパー装置１００における両側面のうちの他方（図示右側）の側面を構成しており、周方向に沿って等間隔で形成された８つの貫通孔からなるプレート保持孔１０２ｂに後述する２つの第１中間プレート１１２を保持している。これらの第１入力プレート１０１および第２入力プレート１０２は、出力ハブ１０４から延びるフランジ体１０７を介して互いに対向配置されて複数（本実施形態においては、４つ）のリベット１０３によって一体的に連結されている。そして、これらの第１入力プレート１０１および第２入力プレート１０２は、エンジンのクランク軸などの出力軸（図示せず）に連結されており一体的に回転駆動する。
【００３１】
出力ハブ１０４は、第１入力プレート１０１および第２入力プレート１０２がエンジンから入力した回転駆動力を外部に対して出力するための部品であり、金属材料を円筒状に形成して構成されている。この場合、出力ハブ１０４の中心部の貫通孔は、トルクダンパー装置１００の回転駆動力の出力先である変速機から延びる入力軸９０が連結される部分であり、円筒体の内周面に回転駆動力の伝達のためのスプラインが形成されている。一方、出力ハブ１０４の外周部は、フランジ体１０７、第１摩擦プレート１１１および第２摩擦プレート１１３をそれぞれ保持する部分であり、切欠き部１０４ａおよび摩擦プレート保持部１０６がそれぞれ形成されている。
【００３２】
切欠き部１０４ａは、フランジ体１０７が連結される部分であり、出力ハブ１０４における径方向外側の先端部分の一部が厚さ方向に円環状に切り欠かれて形成されている。この場合、出力ハブ１０４は、先端部分における切欠き部１０４ａに対応する部分に周方向に沿って複数の貫通孔が形成されており、これらの貫通孔およびフランジ体１０７をそれぞれ軸方向に貫通するリベット１０５によってフランジ体１０７が連結されている。本実施形態においては、フランジ体１０７は、１２個のリベット１０５によって出力ハブ１０４に連結されている。
【００３３】
リベット１０５は、フランジ体１０７を出力ハブ１０４に一体的に連結するための部品であり、金属製の棒体の両端部が径方向外側に円板状に張り出した頭部１０５ａを有して構成されている。すなわち、リベット１０５は、フランジ体１０７および出力ハブ１０４の各外側側面に頭部１０５ａがそれぞれ突出した状態でフランジ体１０７と出力ハブ１０４とを互いに連結している。この場合、フランジ体１０７の側面から突出した頭部１０５ａは、後述する第２摩擦プレート１１３の内周部１１３ａに嵌合して支持可能な張り出し量に形成されている。具体的には、頭部１０５ａは、第２摩擦プレート１１３の厚さよりも厚い厚さに形成されている。
【００３４】
摩擦プレート保持部１０６は、図３に示すように、第１摩擦プレート１１１を保持する部分であり、出力ハブ１０４の径方向外側の先端部に軸方向に延びて形成されている。この場合、摩擦プレート保持部１０６は、出力ハブ１０４の径方向外側の先端部にスプライン状のハブ側嵌合部１０６ａが形成されており、第１摩擦プレート１１１の内周部に形成されたプレート側嵌合部１１１ａが嵌合するように構成されている。
【００３５】
また、摩擦プレート保持部１０６は、軸方向の長さが軸方向に互いに重ねられる第１摩擦プレート１１１および第１中間プレート１１２の総量の厚さよりも長い長さに形成されている。本実施形態においては、摩擦プレート保持部１０６の軸方向の長さは、３つの第１摩擦プレート１１１および２つの第１中間プレート１１２の厚さの合計値よりも長い長さに形成されている。
【００３６】
フランジ体１０７は、第１入力プレート１０１および第２入力プレート１０２がエンジンから入力した回転駆動力を出力ハブ１０４に伝達するための部品であり、金属材料を平板環状に形成して構成されている。このフランジ体１０７は、第１入力プレート１０１と第２入力プレート１０２との間に配置されており、伝達体収容部１０１ａ，１０２ａにそれぞれ対向する位置に弾性伝達体１１０を収容する伝達体収容部１０７ａが形成されている。この場合、フランジ体１０７の外周部における各伝達体収容部１０７ａの間の部分は、径方向内側に凹状に凹んで形成されており前記リベット１０３が物理的に干渉しないように形成されている。
【００３７】
また、フランジ体１０７は、出力ハブ１０４における摩擦プレート保持部１０６に対向する位置に潤滑液流路１０７ｂが形成されている。潤滑液流路１０７ｂは、幅狭部１０８ｂを径方向内側から流れてくる潤滑液（図示せず）を摩擦プレート保持部１０６側に導くための貫通孔であり、周方向に沿って等間隔に複数形成されている。本実施形態においては、潤滑液流路１０７ｂは、１２個形成されている。すなわち、本実施形態におけるトルクダンパー装置１００は、湿式型のトルクダンパー装置である。
【００３８】
また、フランジ体１０７の厚さは、前記切欠き部１０４ａ内に収まって出力ハブ１０４における第１入力プレート１０１側の端面と面一になる厚さに形成されている。これにより、フランジ体１０７における第１入力プレート１０１側の端面と同第１入力プレート１０１との間には、幅広部１０８ａと幅狭部１０８ｂとがそれぞれ形成される。
【００３９】
幅広部１０８ａは、入力軸９０から吐出された潤滑液を受け入れる部分であり、第１入力プレート１０１の内周縁部１０１ｃと出力ハブ１０４の側面との間に円環状に形成されている流路である。この幅広部１０８ａは、入力軸９０の外周面上に開口して形成された複数の吐出口９２にそれぞれ対向して形成されている。なお、図２および図３においては、入力軸９０からトルクダンパー装置１００内に導かれる潤滑液の流れを破線で示している。
【００４０】
幅狭部１０８ｂは、幅広部１０８ａ内に流れ込んだ潤滑液を第２摩擦プレート１１３および潤滑液流路１０７ｂに導く部分であり、第１入力プレート１０１の対向部１０１ｄとフランジ体１０７の側面との間に幅広部１０８ａよりも狭い幅で円環状に形成されている。これにより、幅狭部１０８ｂは、幅広部１０８ａから流れてくる潤滑液の流速を速めて第２摩擦プレート１１３の冷却性、洗浄性および潤滑性を向上させることができるとともに潤滑液流路１０７ｂを介した第１摩擦プレート１１１への流通性を向上させることができる。
【００４１】
なお、幅狭部１０８ｂは、幅広部１０８ａに対して相対的に狭い幅で形成されていればよいため、対向部１０１ｄおよびフランジ体１０７における互いに対向する端面の一方を他方側に張り出させることで形成してもよい。したがって、幅狭部１０８ｂは、フランジ体１０７における端面の少なくとも一部を対向部１０１ｄ側に張り出させることによって形成することもできる。また、幅広部１０８ａおよび幅狭部１０８ｂは、径方向外側に向かって均一な幅、すなわち、幅広部１０８ａまたは幅狭部１０８ｂが省略されていても潤滑液の流通自体は確保されるものである。
【００４２】
弾性伝達体１１０は、第１入力プレート１０１および第２入力プレート１０２がエンジンから入力した回転駆動力を出力ハブ１０４に弾性的に伝達するための部品であり、金属製のコイルスプリングで構成されている。この弾性伝達体１１０は、第１入力プレート１０１、第２入力プレート１０２およびフランジ体１０７における互いに対向する位置に形成された伝達体収容部１０１ａ，１０２ａ，１０７ａに圧縮変形した状態で嵌め込まれている。
【００４３】
第１摩擦プレート１１１は、第２入力プレート１０２、フランジ体１０７および第１中間プレート１１２にそれぞれ押し当てられる平板環状の部品であり、ＳＰＣＣ（冷間圧延鋼板）材からなる薄板材を環状に打ち抜いて成形されている。この第１摩擦プレート１１１の内周部には、出力ハブ１０４に形成されたハブ側嵌合部１０６ａにスプライン嵌合する内歯歯車状のスプラインからなるプレート側嵌合部１１１ａが形成されている。この場合、プレート側嵌合部１１１ａおよびハブ側嵌合部１０６ａは、図４および図５にそれぞれ示すように、互いに噛み合うスプライン歯における凹状の歯側の周方向の長さが凸状の歯側の周方向の長さよりも長く形成されてプレート側嵌合部１１１ａとハブ側嵌合部１０６ａとが周方向に相対変位可能な隙間Ｓが形成されている。
【００４４】
また、第１摩擦プレート１１１における軸方向の両側面には、複数の紙片からなる摩擦材１１１ｂが貼り付けられているとともに各摩擦材間に潤滑液の流通路となる溝部１１１ｃが形成されて構成されている。この第１摩擦プレート１１１は、摩擦プレート保持部１０６上において軸方向に第１中間プレート１１２と交互に設けられている。本実施形態においては、第１摩擦プレート１１１は、摩擦プレート保持部１０６上にて３つ設けられている。この場合、軸方向の両端に設けられている２つの第１摩擦プレート１１１は、フランジ体１０７における軸方向両端部のうちの一方（図示右側）の側面および第２入力プレート１０２におけるフランジ体１０７に対向する内側面にそれぞれ面して設けられている。
【００４５】
第１中間プレート１１２は、前記第１摩擦プレート１１１に押し当てられる平板環状の部品であり、ＳＰＣＣ（冷間圧延鋼板）材からなる薄板材を環状に打ち抜いて成形されている。この場合、第１中間プレート１１２は、外周部に屈曲しつつ径方向外側に張り出した板状の引掛け部１１２ａが形成されており、第２入力プレート１０２のプレート保持孔１０２ｂに引っ掛けられている。本実施形態においては、引掛け部１１２ａは、第１中間プレート１１２の外周部に周方向に沿って等間隔に４つ形成されている。
【００４６】
この第１中間プレート１１２は、摩擦プレート保持部１０６上において軸方向に第１摩擦プレート１１１と交互に設けられている。本実施形態においては、第１中間プレート１１２は、摩擦プレート保持部１０６上にて２つ設けられている。すなわち、第２入力プレート１０２は、８つのプレート保持孔１０２ｂを介して２つの第１中間プレート１１２をそれぞれ一体的に保持している。
【００４７】
第２摩擦プレート１１３は、フランジ体１０７および第２中間プレート１１４にそれぞれ押し当てられる平板環状の部品であり、ＳＰＣＣ（冷間圧延鋼板）材からなる薄板材を環状に打ち抜いて成形されている。この第２摩擦プレート１１３は、内周部１１３ａが前記した１２個のリベット１０５の各頭部１０５ａにおける径方向外側の各縁部にそれぞれ嵌合して保持されている。また、第２摩擦プレート１１３における軸方向の両側面には、前記第１摩擦プレート１１１と同様に、複数の紙片からなる摩擦材が貼り付けられているとともにこれらの各摩擦材間に溝部が形成されて構成されている。
【００４８】
さらに、第２摩擦プレート１１３は、フランジ体１０７における潤滑液流路１０７ｂに対向する位置に流通孔１１３ｂが形成されている。流通孔１１３ｂは、第１入力プレート１０１とフランジ体１０７との間の領域（本実施形態においては、幅狭部１０８ｂ）に存在する潤滑液を潤滑液流路１０７ｂに導くための貫通孔であり、第２摩擦プレート１１３の周方向に沿って等間隔に複数形成されている。本実施形態においては、流通孔１１３ｂは、前記摩擦材に対して径方向内側に８つ形成されている。この第２摩擦プレート１１３は、１２個のリベット１０５の各頭部１０５ａの径方向外側においてフランジ体１０７における軸方向の両端部のうちの他方（図示左側）の側面に面して設けられている。
【００４９】
第２中間プレート１１４は、前記第２摩擦プレート１１３に押し当てられる平板環状の部品であり、ＳＰＣＣ（冷間圧延鋼板）材からなる薄板材を環状に打ち抜いて成形されている。この場合、第２中間プレート１１４は、前記第１中間プレート１１２と同様に、外周部に屈曲しつつ径方向外側に張り出した板状の引掛け部１１４ａが形成されており、第１入力プレート１０１のプレート保持孔１０１ｂに引っ掛けられている。本実施形態においては、引掛け部１１４ａは、第２中間プレート１１４の外周部に周方向に沿って等間隔に４つ形成されている。
【００５０】
すなわち、第１入力プレート１０１は、４つのプレート保持孔１０１ｂを介して１つの第２中間プレート１１４を一体的に保持している。この場合、第２中間プレート１１４は、第１入力プレート１０１における対向部１０１ｄと対向する部分からの径方向外側の位置に設けられている。また、第１入力プレート１０１と第２中間プレート１１４との間には、プレッシャー体１１５が設けられている。
【００５１】
プレッシャー体１１５は、第２中間プレート１１４を押圧することで第２摩擦プレート１１３をフランジ体１０７に押し付けるとともに第１入力プレート１０１を外側に押圧することで第２入力プレート１０２を第１中間プレート１１２および第１摩擦プレート１１１をフランジ体１０７に押し付けるための弾性体からなる部品である。具体的には、プレッシャー体１１５は、本実施形態においては、平板リング状のバネ鋼を錘状に形成して構成されている。このプレッシャー体１１５は、第１入力プレート１０１におけろ対向部１０１ｄに対向する位置に設けられている。
【００５２】
（トルクダンパー装置の組み立て）
次に、このように構成されたトルクダンパー装置１００の製造工程における組み立て作業について説明する。まず、作業者は、出力ハブ１０４およびフランジ体１０７をそれぞれ用意した後、出力ハブ１０４の切欠き部１０４ａにフランジ体１０７をリベット１０５を介して一体的に取り付ける。
【００５３】
次に、作業者は、第１摩擦プレート１１１および第１中間プレート１１２をそれぞれ用意した後、第１摩擦プレート１１１を出力ハブ１０４の摩擦プレート保持部１０６に嵌合させる。この場合、作業者は、フランジ体１０７側から順に第１摩擦プレート１１１と第１中間プレート１１２とを交互に重ねながら第１摩擦プレート１１１のプレート側嵌合部１１１ａをハブ側嵌合部１０６ａに嵌合させる。
【００５４】
この場合、作業者は、摩擦プレート保持部１０６における一方（図示左側）の端部にフランジ体１０７が設けられて第１摩擦プレート１１１を受け止めるため、軸方向における位置を規定した状態で容易に第１摩擦プレート１１１と第１中間プレート１１２とを交互に重ねながら摩擦プレート保持部１０６に配置することができる。また、作業者は、第１摩擦プレート１１１がハブ側嵌合部１０６ａに嵌合することで径方向の位置が規定されるとともに第１中間プレート１１２がハブ側嵌合部１０６ａの外周面によって隙間を介して緩やか規定するため、径方向の位置を規定した状態で容易に第１摩擦プレート１１１と第１中間プレート１１２とを交互に重ねながら摩擦プレート保持部１０６に配置することができる。
【００５５】
次に、作業者は、第２摩擦プレート１１３および第２中間プレート１１４をそれぞれ用意した後、第２摩擦プレート１１３をフランジ体１０７の側面に隣接配置するとともにこの第２摩擦プレート１１３に第２中間プレート１１４を隣接配置する。この場合、第２摩擦プレート１１３は、内周部１１３ａがリベット１０５の頭部１０５ａに嵌合することで径方向の位置が規定されるためフランジ体１０７に対して容易に位置決めして配置することができる。
【００５６】
次に、作業者は、第１入力プレート１０１、第２入力プレート１０２、弾性伝達体１１０およびプレッシャー体１１５をそれぞれ用意してフランジ体１０７に組み付ける。具体的には、作業者は、フランジ体１０７における４つの伝達体収容部１０７ａ内にそれぞれ弾性伝達体１１０を収容した後、第２入力プレート１０２を第１中間プレート１１２に対向配置して互いに交互に重ねられた第１摩擦プレート１１１と第１中間プレート１１２とをフランジ体１０７とで挟むように配置する。この場合、作業者は、第２入力プレート１０２における伝達体収容部１０２ａ内に弾性伝達体１１０を収容するとともに、第１中間プレート１１２における引掛け部１１２ａを第２入力プレート１０２におけるプレート保持孔１０２ｂに引っ掛ける。
【００５７】
次いで、作業者は、第１入力プレート１０１をプレッシャー体１１５を介して第２中間プレート１１４に対向配置してプレッシャー体１１５、第２中間プレート１１４および第２摩擦プレート１１３をフランジ体１０７とで挟むように配置する。この場合、作業者は、第１入力プレート１０１における伝達体収容部１０１ａ内に弾性伝達体１１０を収容するとともに、第２中間プレート１１４における引掛け部１１４ａを第１入力プレート１０１におけるプレート保持孔１０１ｂに引っ掛ける。
【００５８】
次に、作業者は、フランジ体１０７の軸方向両側に配置された第１入力プレート１０１と第２入力プレート１０２とをリベット１０３によって一体的に連結する。これにより、作業者は、トルクダンパー装置１００を組み立てることができる。なお、トルクダンパー装置１００を完成させるには、各種調整作業および試験作業が必要になるが、これらの各種作業は本発明に直接関わらないため、その説明は省略する。なお、このトルクダンパー装置１００の出力調整やメンテナンスなどの分解時においては、上記した組み立て手順とは逆の手順によって分解することができる。
【００５９】
そして、完成したトルクダンパー装置１００は、自動車の組み立て工程においてエンジンと変速機との間の動力伝達経路上に組み付けられる。この場合、トルクダンパー装置１００は、出力ハブ１０４の内周面に変速機から延びる入力軸９０が嵌合して連結される。ここで、入力軸９０には、トルクダンパー装置１００内に潤滑液を供給するための潤滑液供給路９１が軸方向に沿って延びて形成されており、入力軸９０の外周面上における複数の位置で開口している。この潤滑液供給路９１の開口部である吐出口９２は、入力軸９０が出力ハブ１０４に連結された際に、幅広部１０８ａに対向する入力軸９０の外周面上の複数の位置に形成されている。なお、潤滑液は、主として、第１摩擦プレート１１１および第２摩擦プレート１１３の冷却性、洗浄性および潤滑性を確保できるオイルなどが用いられる。
【００６０】
（トルクダンパー装置１００の作動）
次に、上記のように構成したトルクダンパー装置１００の作動について説明する。このトルクダンパー装置１００は、自動車におけるエンジンと変速機との間に配置されてエンジンが始動した状態で自動車が走行していない停車状態であるアイドリング時にエンジンからのトルク変動を吸収した回転駆動力を変速機に伝達する。
【００６１】
具体的には、トルクダンパー装置１００は、エンジンからの回転駆動力によって第１入力プレート１０１および第２入力プレート１０２が一体的に回転駆動するとともに、これらの第１入力プレート１０１および第２入力プレート１０２に一体的に連結された第１中間プレート１１２および第２中間プレート１１４も一体的に回転駆動する。この場合、フランジ体１０７および出力ハブ１０４は、弾性伝達体１１０を介して第１入力プレート１０１および第２入力プレート１０２にそれぞれ弾性的に連結されているため、第１入力プレート１０１および第２入力プレート１０２とともに回転駆動する。
【００６２】
また、摩擦プレート保持部１０６を介して出力ハブ１０４に噛み合った第１摩擦プレート１１１は、プレッシャー体１１５の弾性力によって第１中間プレート１１２に密着するとともにフランジ体１０７および第２入力プレート１０２にもそれぞれ密着している。これにより、第１摩擦プレート１１１は、出力ハブ１０４を回転駆動させる。
【００６３】
第２摩擦プレート１１３は、プレッシャー体１１５の弾性力によって第２中間プレート１１４に密着するとともにフランジ体１０７にも密着している。これにより、第２摩擦プレート１１３は、出力ハブ１０４を回転駆動させる。
【００６４】
このようなエンジンのアイドリング状態において、エンジンからの回転駆動力に小さなトルク変動が生じた場合においては、トルクダンパー装置１００はフランジ体１０７に密着する第１摩擦プレート１１１および第２摩擦プレート１１３の少なくとも一方がフランジ体１０７、第１中間プレート１１２および第２中間プレート１１４のうちの少なくとも１つとの間で摩擦摺動することで低ヒステリシスを発生させる。これにより、トルクダンパー装置１００は、フランジ体１０７に密着する第１摩擦プレート１１１および第２摩擦プレート１１３の少なくとも一方が摩擦摺動することによって発生させた低ヒステリシスによって前記小さなトルク変動を吸収する。
【００６５】
また、エンジンからの回転駆動力に前記小さなトルク変動よりも大きなトルク変動が生じた場合においては、トルクダンパー装置１００は前記低ヒステリシスに加えて高ヒステリシスを発生させる。具体的には、トルクダンパー装置１００は、図５に示すように、出力ハブ１０４のハブ側嵌合部１０６ａと第１摩擦プレート１１１のプレート側嵌合部１１１ａとが互いに噛み合う歯面が前記大きなトルク変動によって隙間Ｓが形成されている側の歯面に移行することで第１摩擦プレート１１１と第１中間プレート１１２との間で摩擦摺動が生じて高ヒステリシスが発生する。
【００６６】
すなわち、トルクダンパー装置１００は、出力ハブ１０４のハブ側嵌合部１０６ａと第１摩擦プレート１１１のプレート側嵌合部１１１ａとが互いに噛み合う歯面がこの歯面とは周方向の反対側に形成されている隙間Ｓが解消されて同隙間Ｓを形成していた歯面が噛み合うまでの間は高ヒステリシスを発生させない。これにより、トルクダンパー装置１００は、第１摩擦プレート１１１がフランジ体１０７、第１中間プレート１１２および第２入力プレート１０２との間で摩擦摺動することによって発生させた高ヒステリシスによって前記大きなトルク変動の一部または全部を吸収する。
【００６７】
また、トルクダンパー装置１００は、エンジンの作動時においては、入力軸９０から潤滑液が供給される。入力軸９０の吐出口９２から吐出された潤滑液は、第１入力プレート１０１と出力ハブ１０４とで形成された幅広部１０８ａおよび第１入力プレート１０１とフランジ体１０７とで形成された幅狭部１０８ｂを介して第２摩擦プレート１１３に供給されるとともに、第２摩擦プレート１１３に形成された流通孔１１３ｂおよびフランジ体１０７に形成された潤滑液流路１０７ｂをそれぞれ介して摩擦プレート保持部１０６および第１摩擦プレート１１１に供給される。これにより、第２摩擦プレート１１３および第１摩擦プレート１１１は、冷却、洗浄および潤滑される。
【００６８】
上記作動説明からも理解できるように、上記実施形態によれば、トルクダンパー装置１００は、入力軸９０が連結される出力ハブ１０４の外周面に嵌合することで径方向の変位が規制されるとともに同外周面上に周方向の変位を規制しつつ軸方向への変位を許容した状態で複数の第１摩擦プレート１１１を保持するハブ側嵌合部１０６ａが形成されているため、このハブ側嵌合部１０６ａに保持させた第１摩擦プレート１１１の数を適宜設定することで高ヒステリシスを幅広い範囲で設定することができる。この場合、トルクダンパー装置１００は、ハブ側嵌合部１０６ａに軸方向から複数の第１摩擦プレート１１１を挿し込むだけで保持させることができるため、高ヒステリシスを発生させるための第１摩擦プレート１１１の組付け性およびメンテナンス性を向上させることができる。
【００６９】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付している。
【００７０】
例えば、上記実施形態においては、トルクダンパー装置１００は、３つの第１摩擦プレート１１１および２つの第１中間プレート１１２を備えて構成した。しかし、トルクダンパー装置１００は、複数の第１摩擦プレート１１１および複数の第１中間プレート１１２を備えて構成されていればよい。
【００７１】
また、上記実施形態においては、３つの第１摩擦プレート１１１は全て同じ形状で構成した。これにより、トルクダンパー装置１００は、トルクダンパー装置１００を製造する際の作業的および経済的な負担を軽減することができる。しかし、第１摩擦プレート１１１は、複数の第１摩擦プレート１１１間で隙間Ｓが互いに異なるプレート側嵌合部１１１ａが形成された第１摩擦プレート１１１を含んで構成されていてもよい。これによれば、トルクダンパー装置１００は、高ヒステリシスを発生させるタイミングを複数設定することができエンジンのトルク変動に対してよりきめ細かな変動ごとに高ヒステリシスを発生、すなわち、ヒステリシスの発生を多段化させることができる。
【００７２】
また、上記実施形態においては、トルクダンパー装置１００は、第１摩擦プレート１１１のプレート側嵌合部１１１ａと出力ハブ１０４のハブ側嵌合部１０６ａとの間に隙間Ｓを形成するように構成した。すなわち、プレート側嵌合部１１１ａおよびハブ側嵌合部１０６ａは、互いに噛み合うスプライン歯における凹状の歯側の周方向の長さが凸状の歯側の周方向の長さよりも長く形成されてプレート側嵌合部１１１ａとハブ側嵌合部１０６ａとが周方向に相対変位可能な隙間Ｓが形成されている。しかし、プレート側嵌合部１１１ａおよびハブ側嵌合部１０６ａは、互いに噛み合うスプライン歯における凹状の歯側の周方向の長さと凸状の歯側の周方向の長さとが略同じ長さに形成されてプレート側嵌合部１１１ａとハブ側嵌合部１０６ａとが周方向に相対変位不能な状態で嵌合するように形成されていてもよい。これによれば、トルクダンパー装置１００は、エンジンからのトルク変動に対して直ちに高ヒステリシスを発生させることができる。
【００７３】
また、上記実施形態においては、トルクダンパー装置１００は、第２摩擦プレート１１３および第２中間プレート１１４をそれぞれ備えて構成した。これにより、トルクダンパー装置１００は、第１摩擦プレート１１１が発生させるヒステリシスを増強することができる。また、トルクダンパー装置１００は、第１摩擦プレート１１１がヒステリシスを発生させるに至らない低いトルク変動時にもヒステリシスを発生させてトルク変動を押さえることができる。しかし、トルクダンパー装置１００は、第２摩擦プレート１１３および第２中間プレート１１４をそれぞれ省略して構成することもできる。この場合、トルクダンパー装置１００は、プレッシャー体１１５を第２入力プレート１０２とフランジ体１０７との間に設けてもよいし、第１入力プレート１０１とフランジ体１０７との間に設けることもできる。
【００７４】
例えば、トルクダンパー装置１００は、フランジ体１０７と第１摩擦プレート１１１との間に第１中間プレート１１２を設けて、この第１中間プレート１１２とフランジ体１０７との間にプレッシャー体１１５を設けることができる。また、例えば、トルクダンパー装置１００は、第２入力プレート１０２と第１摩擦プレート１１１との間に第１中間プレート１１２を設けて、この第１中間プレート１１２と第２入力プレート１０２との間にプレッシャー体１１５を設けることができる。また、例えば、トルクダンパー装置１００は、２つの第１摩擦プレート１１１間に２つの第１中間プレート１１２を設けて、これら２つの第１中間プレート１１２間にプレッシャー体１１５を設けることができる。例えば、トルクダンパー装置１００は、フランジ体１０７と第１入力プレート１０１との間に第２中間プレート１１４を設けて、この第１入力プレート１０１と第２中間プレート１１４との間にプレッシャー体１１５を設けることができる。
【００７５】
また、上記実施形態においては、トルクダンパー装置１００は、出力ハブ１０４とフランジ体１０７とを互いに別体で構成してリベット１０５によって連結して構成した。しかし、出力ハブ１０４とフランジ体１０７とは、一体的な一部品として構成することもできる。この場合、第２摩擦プレート１１３は、フランジ体１０７が一体的に形成された出力ハブ１０４の側面に第２摩擦プレート１１３の内周部１１３ａの全部または一部が嵌合するように凸状に張り出した凸部を設けるとよい。
【００７６】
また、上記実施形態においては、フランジ体１０７は、潤滑液流路１０７ｂを摩擦プレート保持部１０６に面する位置に形成して構成した。しかし、フランジ体１０７は、潤滑液流路１０７ｂを摩擦プレート保持部１０６に対してずれた位置、例えば、摩擦プレート保持部１０６よりも径方向外側に形成することもできる。また、フランジ体１０７は、潤滑液流路１０７ｂを省略して構成することもできる。この場合、第２摩擦プレート１１３は、流通孔１１３ｂを省略して構成することができる。
【００７７】
また、上記実施形態においては、ハブ側嵌合部１０６ａおよびプレート側嵌合部１１１ａは、多数のスプライン歯で構成した。しかし、ハブ側嵌合部１０６ａおよびプレート側嵌合部１１１ａは、互いに噛み合う少なくとも１つずつの凹状および凸状の各部を備えて構成されていればよい。
【符号の説明】
【００７８】
Ｓ…第１摩擦プレートのプレート側嵌合部と出力ハブのハブ側嵌合部との間の隙間、
９０…入力軸、９１…潤滑液供給路、９２…吐出口、
１００…トルクダンパー装置、
１０１…第１入力プレート、１０１ａ…伝達体収容部、１０１ｂ…プレート保持孔、１０１ｃ…内周縁部、１０１ｄ…対向部、１０２…第２入力プレート、１０２ａ…伝達体収容部、１０２ｂ…プレート保持孔、１０３…リベット、１０４…出力ハブ、１０４ａ…切欠き部、１０５…リベット、１０５ａ…頭部、１０６…摩擦プレート保持部、１０６ａ…ハブ側嵌合部、１０７…フランジ体、１０７ａ…伝達体収容部、１０７ｂ…潤滑液流路、１０８ａ…幅広部、１０８ｂ…幅狭部、
１１０…弾性伝達体、１１１…第１摩擦プレート、１１１ａ…プレート側嵌合部、１１１ｂ…摩擦材、１１１ｃ…溝部、１１２…第１中間プレート、１１２ａ…引掛け部、１１３…第２摩擦プレート、１１３ａ…内周部、１１３ｂ…流通孔、１１４…第２中間プレート、１１４ａ…引掛け部、１１５…プレッシャー体。
【図１】
2020020408.tif 000003
【図２】
2020020408.tif 000004
【図３】
2020020408.tif 000005
【図４】
2020020408.tif 000006
【図５】
2020020408.tif 000007
【手続補正書】
【提出日】令和1年9月17日(2019.9.17)
【手続補正１】
【補正対象書類名】特許請求の範囲
【補正対象項目名】請求項５
【補正方法】変更
【補正の内容】
【請求項５】
請求項１ないし請求項４のうちのいずれか１つに記載したトルクダンパー装置において、さらに、
前記第１入力プレートと前記フランジ体との間に設けられた平板環状の第２摩擦プレートと、
前記第１入力プレートに一体的に回転駆動する平板環状に形成されて前記第２摩擦プレートに隣接配置された第２中間プレートとを備え、
前記プレッシャー体は、
前記第１入力プレートと前記第２中間プレートとの間に設けられて同第１入力プレートを介して前記第２入力プレートを前記フランジ体側に弾性的に変位させるとともに同第２中間プレートを介して前記第２摩擦プレートを前記フランジ体に押圧することを特徴とするトルクダンパー装置。
【手続補正２】
【補正対象書類名】特許請求の範囲
【補正対象項目名】請求項１０
【補正方法】変更
【補正の内容】
【請求項１０】
請求項５ないし請求項９のうちのいずれか１つに記載したトルクダンパー装置において、
前記出力ハブの回転駆動力を伝達するために連結される入力軸に前記トルクダンパー装置内に潤滑油を供給するための潤滑油供給路が形成されており、
前記出力ハブおよび前記フランジ体のうちの少なくとも一方と前記第１入力プレートとの間の隙間に径方向内側に向かって開口する幅広部が形成されるとともに同幅広部よりも径方向外側に前記隙間の幅が狭くなる幅狭部が形成されていることを特徴とするトルクダンパー装置。
【手続補正３】
【補正対象書類名】明細書
【補正対象項目名】００１４
【補正方法】変更
【補正の内容】
【００１４】
また、本発明の他の特徴は、前記トルクダンパー装置において、さらに、第１入力プレートとフランジ体との間に設けられた平板環状の第２摩擦プレートと、第１入力プレートに一体的に回転駆動する平板環状に形成されて第２摩擦プレートに隣接配置された第２中間プレートとを備え、プレッシャー体は、第１入力プレートと第２中間プレートとの間に設けられて同第１入力プレートを介して第２入力プレートをフランジ体側に弾性的に変位させるとともに同第２中間プレートを介して第２摩擦プレートをフランジ体に押圧することにある。
【手続補正４】
【補正対象書類名】明細書
【補正対象項目名】００１５
【補正方法】変更
【補正の内容】
【００１５】
このように構成した本発明の他の特徴によれば、トルクダンパー装置は、フランジ体に対して第２摩擦プレートが常に摩擦接触しているため、第１摩擦プレートが発生させるヒステリシスを増強することができる。また、本発明に係るトルクダンパー装置は、ハブ側嵌合部とプレート側嵌合部との嵌合部分に隙間を形成してエンジンからのトルク変動が所定の大きさ以上の場合に第１摩擦プレートが発生させるヒステリシスを発生させるように構成した場合には、第１摩擦プレートがヒステリシスを発生させるに至らない低いトルク変動時にもヒステリシスを発生させてトルク変動を抑えることができる。なお、トルクダンパー装置において、さらに、第１入力プレートとフランジ体との間に設けられた平板環状の複数の第２摩擦プレートと、第１入力プレートに一体的に回転駆動する平板環状に形成されて第２摩擦プレートに隣接配置された第２中間プレートとを備え、プレッシャー体は、第１入力プレートと第２中間プレートとの間に設けられて同第１入力プレートを介して第２入力プレートをフランジ体側に弾性的に変位させるとともに同第２中間プレートを介して第２摩擦プレートをフランジ体に押圧することもできる。
【手続補正５】
【補正対象書類名】明細書
【補正対象項目名】００２４
【補正方法】変更
【補正の内容】
【００２４】
また、本発明の他の特徴は、前記トルクダンパー装置において、出力ハブの回転駆動力を伝達するために連結される入力軸にトルクダンパー装置内に潤滑油を供給するための潤滑油供給路が形成されており、出力ハブおよびフランジ体のうちの少なくとも一方と第１入力プレートとの間の隙間に径方向内側に向かって開口する幅広部が形成されるとともに同幅広部よりも径方向外側に前記隙間の幅が狭くなる幅狭部が形成されていることにある。
【手続補正６】
【補正対象書類名】明細書
【補正対象項目名】００５１
【補正方法】変更
【補正の内容】
【００５１】
プレッシャー体１１５は、第２中間プレート１１４を押圧することで第２摩擦プレート１１３をフランジ体１０７に押し付けるとともに第１入力プレート１０１を外側に押圧することで第２入力プレート１０２を第１中間プレート１１２および第１摩擦プレート１１１をフランジ体１０７に押し付けるための弾性体からなる部品である。具体的には、プレッシャー体１１５は、本実施形態においては、平板リング状のバネ鋼を錘状に形成して構成されている。このプレッシャー体１１５は、第１入力プレート１０１における対向部１０１ｄに対向する位置に設けられている。
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
平板環状に形成されてエンジンの駆動力によって回転駆動する第１入力プレートと、
平板環状に形成されて前記第１入力プレートに対向した位置に配置されて同第１入力プレートと一体的に回転駆動する第２入力プレートと、
前記第１入力プレートおよび前記第２入力プレートと同軸上に配置されてこれらの第１入力プレートおよび第２入力プレートの回転駆動力によって回転駆動する円筒状の出力ハブと、
前記出力ハブの外周面から径方向外側に張り出して前記第１入力プレートと前記第２入力プレートとの間に設けられるフランジ体と、
前記第１入力プレートおよび前記第２入力プレートと前記フランジ体との間に設けられて前記第１入力プレートおよび前記第２入力プレートの回転駆動力を前記フランジ体に伝達する弾性体で構成された弾性伝達体と、
前記出力ハブの径方向外側で前記フランジ体と前記第２入力プレートとの間に設けられた平板環状の複数の第１摩擦プレートと、
前記第２入力プレートに一体的に回転駆動する平板環状に形成されて前記複数の第１摩擦プレート間にそれぞれ配置される複数の第１中間プレートと、
前記第１入力プレートと前記第２入力プレートとの間に設けられて前記フランジ体と前記第２入力プレートとの間で前記複数の第１摩擦プレートと前記複数の第１中間プレートとを互いに密着させるプレッシャー体とを備え、
前記出力ハブは、
外周面上に軸方向に沿って互いに重ねられた前記複数の第１摩擦プレートおよび前記複数の第１中間プレートの厚さ以上の長さに形成されて前記複数の第１摩擦プレートがそれぞれ嵌合する摩擦プレート保持部と、
前記摩擦プレート保持部上に軸方向に沿って径方向に突出または凹んで形成されたハブ側嵌合部とをそれぞれ有し、
前記複数の第１摩擦プレートは、
内周部に前記ハブ側嵌合部に嵌合する凹状または凸状に形成されたプレート側嵌合部を有し、
前記ハブ側嵌合部および前記プレート側嵌合部は、
互いに噛み合う部分における各周方向の長さが互いに異なる長さに形成されて前記出力ハブと前記第１摩擦プレートとが周方向に相対変位可能な隙間が形成されていることを特徴とするトルクダンパー装置。
【請求項２】
平板環状に形成されてエンジンの駆動力によって回転駆動する第１入力プレートと、
平板環状に形成されて前記第１入力プレートに対向した位置に配置されて同第１入力プレートと一体的に回転駆動する第２入力プレートと、
前記第１入力プレートおよび前記第２入力プレートと同軸上に配置されてこれらの第１入力プレートおよび第２入力プレートの回転駆動力によって回転駆動する円筒状の出力ハブと、
前記出力ハブの外周面から径方向外側に張り出して前記第１入力プレートと前記第２入力プレートとの間に設けられるフランジ体と、
前記第１入力プレートおよび前記第２入力プレートと前記フランジ体との間に設けられて前記第１入力プレートおよび前記第２入力プレートの回転駆動力を前記フランジ体に伝達する弾性体で構成された弾性伝達体と、
前記出力ハブの径方向外側で前記フランジ体と前記第２入力プレートとの間に設けられた平板環状の複数の第１摩擦プレートと、
前記第２入力プレートに一体的に回転駆動する平板環状に形成されて前記複数の第１摩擦プレート間にそれぞれ配置される複数の第１中間プレートと、
前記第１入力プレートと前記第２入力プレートとの間に設けられて前記フランジ体と前記第２入力プレートとの間で前記複数の第１摩擦プレートと前記複数の第１中間プレートとを互いに密着させるプレッシャー体と、
前記第１入力プレートと前記フランジ体との間に設けられた平板環状の第２摩擦プレートと、
前記第１入力プレートに一体的に回転駆動する平板環状に形成されて前記第２摩擦プレートに隣接配置された第２中間プレートとを備え、
前記出力ハブは、
外周面上に軸方向に沿って互いに重ねられた前記複数の第１摩擦プレートおよび前記複数の第１中間プレートの厚さ以上の長さに形成されて前記複数の第１摩擦プレートがそれぞれ嵌合する摩擦プレート保持部と、
前記摩擦プレート保持部上に軸方向に沿って径方向に突出または凹んで形成されたハブ側嵌合部とをそれぞれ有し、
前記複数の第１摩擦プレートは、
内周部に前記ハブ側嵌合部に嵌合する凹状または凸状に形成されたプレート側嵌合部を有し、
前記プレッシャー体は、
前記第１入力プレートと前記第２中間プレートとの間に設けられて同第１入力プレートを介して前記第２入力プレートを前記フランジ体側に弾性的に変位させるとともに同第２中間プレートを介して前記第２摩擦プレートを前記フランジ体に押圧することを特徴とするトルクダンパー装置。
【請求項３】
請求項１または請求項２に記載したトルクダンパー装置において、
前記複数の第１摩擦プレートは、
互いに同じ形状に形成されていることを特徴とするトルクダンパー装置。
【請求項４】
請求項３に記載したトルクダンパー装置において、
前記複数の第１摩擦プレートは、
前記隙間が互いに異なる前記プレート側嵌合部が形成された前記第１摩擦プレートを含んで構成されていることを特徴とするトルクダンパー装置。
【請求項５】
請求項２に記載したトルクダンパー装置において、
前記出力ハブおよび前記フランジ体は、
互いに別体で構成されて前記出力ハブおよび前記フランジ体を貫通するリベットで互いに連結されており、
前記リベットは、
前記フランジ体から突出した頭部を有して同フランジ体の周方向に沿って複数設けられているとともに、同頭部に前記第２摩擦プレートが嵌合していることを特徴とするトルクダンパー装置。
【請求項６】
請求項２または請求項５に記載したトルクダンパー装置において、
前記フランジ体は、
同フランジ体の両側間で潤滑液を流通させるための貫通孔からなる潤滑液流路が形成されていることを特徴するトルクダンパー装置。
【請求項７】
請求項６に記載したトルクダンパー装置において、
前記潤滑液流路は、
前記摩擦プレート保持部に面する位置に形成されていることを特徴とするトルクダンパー装置。
【請求項８】
請求項６または請求項７に記載したトルクダンパー装置において、
前記第２摩擦プレートは、
前記潤滑液流路に対向する位置に貫通孔からなる流通孔が形成されていることを特徴するトルクダンパー装置。
【請求項９】
請求項２、請求項５、請求項６、請求項７、請求項８および請求項９のうちのいずれか１つに記載したトルクダンパー装置において、
前記出力ハブの回転駆動力を伝達するために連結される入力軸に前記トルクダンパー装置内に潤滑油を供給するための潤滑油供給路が形成されており、
前記出力ハブおよび前記フランジ体のうちの少なくとも一方と前記第１入力プレートとの間の隙間に径方向内側に向かって開口する幅広部が形成されるとともに同幅広部よりも径方向外側に前記隙間の幅が狭くなる幅狭部が形成されていることを特徴とするトルクダンパー装置。
【手続補正２】
【補正対象書類名】明細書
【補正対象項目名】００５４
【補正方法】変更
【補正の内容】
【００５４】
この場合、作業者は、摩擦プレート保持部１０６における一方（図示左側）の端部にフランジ体１０７が設けられて第１摩擦プレート１１１を受け止めるため、軸方向における位置を規定した状態で容易に第１摩擦プレート１１１と第１中間プレート１１２とを交互に重ねながら摩擦プレート保持部１０６に配置することができる。また、作業者は、第１摩擦プレート１１１がハブ側嵌合部１０６ａに嵌合することで径方向の位置が規定されるとともに第１中間プレート１１２がハブ側嵌合部１０６ａの外周面によって隙間を介して緩やかに規定するため、径方向の位置を規定した状態で容易に第１摩擦プレート１１１と第１中間プレート１１２とを交互に重ねながら摩擦プレート保持部１０６に配置することができる。